(57)【特許請求の範囲】
【請求項１】
複数のレンズを含むレンズシステムを有する光学系を製造する方法であって、
前記光学系の色収差を取得することと、
前記光学系の色収差により、前記複数のレンズの間、前記複数のレンズの最も拡大側のレンズの外側、および前記複数のレンズの最も縮小側のレンズの外側のいずれかに挿入されている光学素子を、光学的距離が同一で倍率色収差が異なる他の光学素子に交換することとを有し、
前記光学素子は、内部に接合面を有し、
前記他の光学素子は、内部に前記光学素子の接合面の曲率と異なる曲率半径の接合面を有する、
ことを特徴とする方法。
【請求項２】
請求項１において、
前記光学素子は、平板状で曲面要素を含まない光学素子であり、前記他の光学素子は、平板状の曲面接合タイプの光学素子であることを含む、方法。
【請求項３】
請求項２において、
前記曲面接合タイプの光学素子は、平凹タイプの第１の要素と、平凸タイプの第２の要素とを含み、前記第１の要素の屈折率ｎ１と、前記第２の要素の屈折率ｎ２と、前記第１の要素のアッベ数ν１と、前記第２の要素のアッベ数ν２とが以下の条件を満たし、さらに、
前記交換することは、前記色収差のうち、青色の倍率色収差が設計値よりも外側へ移動しているときは、前記アッベ数ν１が前記アッベ数ν２より大きい前記曲面接合タイプの光学素子に交換することと、
青色の倍率色収差が設計値よりも内側へ移動しているときは、前記アッベ数ν１が前記アッベ数ν２より小さい前記曲面接合タイプの光学素子に交換することとを含む、方法。
０≦｜ｎ１−ｎ２｜＜０．０２
２＜｜ν１−ν２｜＜３３
【請求項４】
請求項１ないし３のいずれかにおいて、
前記光学系は変倍光学系であり、
前記交換することは、前記最も縮小側のレンズの外側に挿入されている光学素子を交換することを含む、方法。
【請求項５】
請求項１ないし３のいずれかにおいて、
前記光学系は縮小側に配置される光変調デバイスからの投影光を投射する光学系であり、
前記交換することは、前記最も縮小側のレンズの外側で、前記光変調デバイスとの間に挿入されている光学素子を交換することを含む、方法。
【請求項６】
請求項１ないし５のいずれかにおいて、
前記光学系は変倍光学系で有り、
前記光学系の色収差を取得することは、
変倍光学系を広角側に設定した際の色収差を取得することを含む、方法。
【請求項７】
複数のレンズを含むレンズシステムを有する光学系であって、
前記複数のレンズの最も縮小側のレンズの外側に、内部に接合面を形成された平板状の光学素子が配置されており、
前記光学素子は、平凹タイプの第１の要素と、平凸タイプの第２の要素とを含み、
前記第１の要素の屈折率ｎ１と、前記第２の要素の屈折率ｎ２と、前記第１の要素のアッベ数ν１と、前記第２の要素のアッベ数ν２とが以下の条件を満たす、
ことを特徴とする光学系。
０≦｜ｎ１−ｎ２｜＜０．０２
２＜｜ν１−ν２｜＜３３
【請求項８】
請求項７に記載の光学系は、変倍光学系であり、最も縮小側のレンズは動かない、
ことを特徴とする光学系。
【請求項９】
請求項７または８に記載の光学系は、最も縮小側に配置される光変調デバイスからの投影光を投射する光学系であり、
前記光学素子は、前記光学系の最も縮小側のレンズの外側で前記光変調デバイスとの間に配置される、
ことを特徴とする光学系。
【発明の詳細な説明】
【技術分野】
【０００１】
本発明は、レンズシステムを有する光学系を製造する方法に関するものである。
【背景技術】
【０００２】
特許文献１には、効率的な調整作業により所望の光学性能を得ることができる投射光学系の製造方法を提供することが記載されている。この文献には、４枚の曲面ミラーとＤＭＤを下側及び上側台座部品に取り付けること、曲面ミラーは、最もＤＭＤ側に配置された凹面ミラーと、この凹面ミラーの次段に配置された凸面ミラーとを含むこと、凸面ミラーの位置及び傾きを固定し、凹面ミラーの位置及び傾きのうち少なくとも３軸を調整することが記載されている。
【先行技術文献】
【特許文献】
【０００３】
【特許文献１】特開２００７−４１５２９号公報
【発明の概要】
【発明が解決しようとする課題】
【０００４】
高い性能を備えた光学系をさらに安定して提供することが求められている。
【課題を解決するための手段】
【０００５】
本発明の態様の１つは、複数のレンズを含むレンズシステムを有する光学系を製造する方法であって、（ｉ）前記光学系の色収差を取得することと、（ｉｉ）前記光学系の色収差により、前記複数のレンズの間、前記複数のレンズの最も拡大側のレンズの外側、および前記複数のレンズの最も縮小側のレンズの外側のいずれかに挿入されている光学素子を、光学的距離が同一で倍率色収差が異なる他の光学素子に交換することとを有し、前記光学素子は、内部に接合面を有し、前記他の光学素子は、内部に前記光学素子の接合面の曲率と異なる曲率半径の接合面を有する、ことを特徴とする方法である。
【０００６】
本発明の他の態様の１つは、複数のレンズを含むレンズシステムを有する光学系であって、前記複数のレンズの間、前記複数のレンズの最も拡大側のレンズの外側、および前記複数のレンズの最も縮小側のレンズの外側のいずれかの位置に、内部に接合面を形成された平板状の光学素子が配置されている、ことを特徴とする光学系である。
【０００７】
本明細書に開示されている１つの態様は、複数のレンズを含むレンズシステムを有する光学系を製造する方法であり、以下のステップを含む。
１．光学系の色収差を取得すること。
２．光学系の色収差により、複数のレンズの間、複数のレンズの最も拡大側のレンズの外側、および複数のレンズの最も縮小側のレンズの外側のいずれかに挿入されている光学素子を、光学的距離が同一で倍率色収差が異なる他の光学素子に交換すること。
【０００８】
複数のレンズを有する光学系において高い光学性能を得るために個々のレンズの製造精度を向上し、組立精度を向上しても、なおかつ個々のレンズの材料の特性値の公差、組立公差などにより光学性能が変動することがある。この方法によれば、ある光学系を構成する複数のレンズが組み立てられた状態で色収差を確認し、その色収差が設計値の範囲を超えていれば光学的距離が同一で倍率色収差が異なる光学素子で交換することにより設計値に近づけることが可能となる。したがって、高い光学性能を備えた光学系をさらに安定して供給できる。
【０００９】
交換することは、平板状で曲面要素を含まない光学素子を、平板状の曲面接合タイプの光学素子に交換することを含む。曲面接合タイプの光学素子は、平凹タイプの第１の要素と、平凸タイプの第２の要素とを含み、第１の要素の屈折率ｎ１と、第２の要素の屈折率ｎ２と、第１の要素のアッベ数ν１と、第２の要素のアッベ数ν２とが以下の条件（１）および（２）を満たすことが望ましい。
【００１０】
０≦｜ｎ１−ｎ２｜＜０．０２  ・・・（１）
２＜｜ν１−ν２｜＜３３      ・・・（２）
さらに、交換することは、色収差のうち、青色の倍率色収差が設計値よりも外側へ移動しているときは、アッベ数ν１がアッベ数ν２より大きい曲面接合タイプの光学素子に交換することと、青色の倍率色収差が設計値よりも内側へ移動しているときは、アッベ数ν１がアッベ数ν２より小さい曲面接合タイプの光学素子に交換することとを含むことが望ましい。
【００１１】
光学系は変倍光学系であってもよい。また、最も縮小側のレンズの外側に挿入されている光学素子を交換することが望ましい。光学要素が小さくなる可能性が高く、また、レンズシステムの他のレンズの組立状況などに影響をほとんど与えずに光学素子を交換しやすい。光学系の一例は縮小側に配置される光変調デバイスからの投影光を投射する光学系である。投射用（投影用）光学系においても、最も縮小側のレンズの外側で、光変調デバイスとの間に挿入されている光学素子を交換することが望ましい。
【００１２】
レンズシステムが変倍可能なズームレンズタイプまたはバリフォーカルレンズタイプの場合、画角に比例して増大する傾向のある倍率色収差が広角端の側で顕著に表れやすい。したがって、広角側の倍率色収差に主に注目して光学素子を交換してもよい。１または複数の交換用の光学素子を予め用意しておくことにより、量産性をほとんど損なわずに高い性能を備えた光学系を安定して提供できる。
【００１３】
本発明の他の態様の１つは、上記の方法により製造された光学系と、光学系の最も縮小側のレンズの外側に配置された光変調デバイスとを有するプロジェクタである。
【００１４】
本発明の他の態様の１つは、複数のレンズを含むレンズシステムを有する光学系であって、複数のレンズの間、複数のレンズの最も拡大側のレンズの外側、および複数のレンズの最も縮小側のレンズの外側のいずれかに挿入されている光学素子が、製造時に取得された色収差により、光学的距離が同一で倍率色収差が異なる他の光学素子に交換されている光学系である。他の光学素子は、平板状の曲面接合タイプの光学素子であってもよい。曲面接合タイプの光学素子は、平凹タイプの第１の要素と、平凸タイプの第２の要素とを含み、第１の要素の屈折率ｎ１と、第２の要素の屈折率ｎ２と、第１の要素のアッベ数ν１と、第２の要素のアッベ数ν２とが上述した条件（１）および（２）を満たしてもよい。
【図面の簡単な説明】
【００１５】
【図１】プロジェクタの概要を示す図。
【図２】レンズシステムを含む光学系であって、光学素子を曲面接合タイプの光学素子に交換した光学系の概略構成を示す図である。図２（ａ）は広角端におけるレンズ配置を含み、図２（ｂ）は望遠端におけるレンズ配置を含む。
【図３】光学系を製造する方法を示すフローチャート。
【図４】レンズシステムを含む光学系であって、平板状で曲面要素を含まない光学素子を含む光学系を示す図。図４（ａ）は広角端におけるレンズ配置を含み、図４（ｂ）は望遠端におけるレンズ配置を含む。
【図５】図４に示した光学系の諸数値を示す図であり、図５（ａ）はレンズデータを示し、図５（ｂ）はズームデータを示す。
【図６】図４に示した光学系の倍率色収差の設計値を示す図であり、図６（ａ）は広角端における設計値を示し、図６（ｂ）は望遠端における設計値を示す。
【図７】図４に示した光学系でアッベ数に公差を仮定した光学系の倍率色収差の実測値を示す図。図７（ａ）は広角端における実測値を示し、図７（ｂ）は望遠端における実測値を示す。
【図８】曲面接合タイプの光学素子の一例を示す図である。図８（ａ）は概略構成を示す。図８（ｂ）は曲面接合タイプの光学素子に交換したときの光学系のレンズデータのうち、光学素子および光学素子の周りのデータを示す。
【図９】図７の光学系で、光学素子を曲面接合タイプに交換した光学系の倍率色収差の実測値を示す図であり、図９（ａ）は広角端における実測値を示し、図９（ｂ）は望遠端における実測値を示す。
【図１０】図７の光学系で、光学素子を曲率の異なる曲面接合タイプに交換した光学系の倍率色収差の実測値を示す図であり、図１０（ａ）は広角端における実測値を示し、図１０（ｂ）は望遠端における実測値を示す。
【図１１】図７の光学系で、光学素子をさらに曲率の異なる曲面接合タイプに交換した光学系の倍率色収差の実測値を示す図であり、図１１（ａ）は広角端における実測値を示し、図１１（ｂ）は望遠端における実測値を示す。
【図１２】図４に示した光学系でアッベ数に異なる公差を仮定した光学系の倍率色収差の実測値を示す図。図１２（ａ）は広角端における実測値を示し、図１２（ｂ）は望遠端における実測値を示す。
【図１３】曲面接合タイプの異なる光学素子を示す図。図１３（ａ）は概略構成を示し、図１３（ｂ）は曲面接合タイプの光学素子に交換したときの光学系のレンズデータのうち、光学素子および光学素子の周りのレンズデータを示す。
【図１４】図１２の光学系で、光学素子を曲面接合タイプに交換した光学系の倍率色収差の実測値を示す図であり、図１４（ａ）は広角端における実測値を示し、図１４（ｂ）は望遠端における実測値を示す。
【図１５】図１２の光学系で、光学素子を曲率の異なる曲面接合タイプに交換した光学系の倍率色収差の実測値を示す図であり、図１５（ａ）は広角端における実測値を示し、図１５（ｂ）は望遠端における実測値を示す。
【図１６】図１２の光学系で、光学素子をさらに曲率の異なる曲面接合タイプに交換した光学系の倍率色収差の実測値を示す図であり、図１６（ａ）は広角端における実測値を示し、図１６（ｂ）は望遠端における実測値を示す。
【発明を実施するための形態】
【００１６】
図１に、プロジェクタ１００の概要を示している。このプロジェクタ１００は、光変調デバイス（ライトバルブ）６０と、ライトバルブ６０に変調用の照明光を照射する照明系７０と、ライトバルブ６０により形成された画像光（投影光）８９をスクリーン８０に拡大して投射する光学系１とを備えている。
【００１７】
光学系１は、拡大側（スクリーン側）８に位置する、複数のレンズを含むレンズシステム１０と、縮小側（ライトバルブ側）９に位置する光学素子５０とを含む。光学素子５０は、レンズシステム１０の縮小側９の外側に配置されており、レンズシステム１０とライトバルブ６０との間に位置する。
【００１８】
プロジェクタ１００は、フロントプロジェクタであっても、スクリーンを含むリアプロジェクタであってもよい。ライトバルブ（光変調デバイス）６０の一例は、ＤＭＤ（デジタルマイクロミラーデバイス）であり、反射型ＬＣＤ、透過型ＬＣＤ、ＬＣｏＳあるいは有機ＥＬなどの、他の画像を形成するデバイスであってもよい。ライトバルブ６０は、単板式であっても、各色の画像をそれぞれ形成する方式（３板式）であってもよい。スクリーン８０は、ホワイトボード、壁面、テーブル面であってもよい。
【００１９】
典型的なプロジェクタ１００の一例は、ライトバルブ６０としてＤＭＤを採用した単板式のビデオプロジェクタであり、照明系７０は、ハロゲンランプや白色ＬＥＤなどの光源７１と、円盤型の回転色分割フィルタ（カラーホイール）７２とを備え、ＤＭＤ６０に赤色、緑色、青色を時分割で照射し、ＤＭＤ６０からカラー画像を形成するための投影光８９が出射される。照明系７０は、さらに、照明光７５を、ミラー７３などを介してＤＭＤ６０に出力する照明レンズシステム７４を備えていてもよい。
【００２０】
図２に、光学系１の概略構成を示している。この光学系（光学装置、光学システム）１に含まれるレンズシステム１０は複数のレンズから構成されているズームレンズシステムであり、図２（ａ）に広角端におけるレンズ配置を示し、図２（ｂ）は望遠端におけるレンズ配置を示す。
【００２１】
レンズシステム１０は、第１のグループＧ１から第６のグループＧ６の６群構成であり、全体が１６枚のガラス製のレンズにより構成された変倍可能な投射光学系である。最も拡大側の第１のグループＧ１は全体が負の屈折力を備え、拡大側８であるスクリーン８０の側から縮小側９であるＤＭＤ６０の側に向けて順に、スクリーン８０の側に凸面Ｓ１を向けたメニスカスタイプの正レンズＬ１と、スクリーン８０の側に凸面Ｓ３を向けたメニスカスタイプの負レンズＬ２と、スクリーン８０の側に凸面Ｓ５を向けたメニスカスタイプの負レンズＬ３と、両凹タイプの負レンズＬ４とを含む。全体が正の屈折力の第２のグループＧ２は、ＤＭＤ６０の側に凸面Ｓ１０を向けたメニスカスタイプの正レンズＬ５と、２枚貼合の接合レンズ（バルサムレンズ）ＬＢ１とを含む。全体が正の屈折力の第３のグループＧ３は、両凸タイプの正レンズＬ８と、絞りＳｔとを含む。全体が負の屈折力の第４のグループＧ４は、２枚貼合の接合レンズＬＢ２を含む。全体が正の屈折力の第５のグループＧ５は、両凸タイプの正レンズＬ１１と、２枚貼合の接合レンズＬＢ３と、ＤＭＤ６０の側に凸面Ｓ２６を向けたメニスカスタイプの正レンズＬ１４と、両凸タイプの正レンズＬ１５とを含む。全体が正の屈折力の第６のグループＧ６は、スクリーン８０の側に凸面Ｓ２９を向けたメニスカスタイプの正レンズＬ１６を含み、光学素子５０は第６のグループＧ６に含まれる。
【００２２】
接合レンズＬＢ１は、スクリーン８０の側から順に配置された、両凹タイプの負レンズＬ６と、両凸タイプの正レンズＬ７とから構成されている。接合レンズＬＢ２は、スクリーン８０の側から順に配置された、スクリーン８０の側に凹面Ｓ１７を向けたメニスカスタイプの正レンズＬ９と、両凹タイプの負レンズＬ１０とから構成されている。接合レンズＬＢ３は、スクリーン８０の側から順に配置された、両凹タイプの負レンズＬ１２と、両凸タイプの正レンズＬ１３とから構成されている。
【００２３】
レンズシステム１０は、広角端から望遠端へ変倍する際に、第１のグループＧ１および第６のグループＧ６は動かず、第２のグループＧ２、第３のグループＧ３、第４のグループＧ４および第５のグループＧ５は、ＤＭＤ６０の側からスクリーン８０の側へ光軸９０に沿って、それぞれのグループに含まれるレンズが一体となって移動する。
【００２４】
この光学システム１は最も縮小側９で、ズーミングの際に移動しない第６のレンズ群Ｇ６の外側に配置された光学素子（光学ユニット）５０を含む。図２（ａ）および（ｂ）に記載された光学素子５０は、２枚貼合のガラス製の曲面接合タイプの平板状の光学素子ＬＢＡである。
【００２５】
曲面接合タイプの光学素子ＬＢＡは、スクリーン８０の側から順に配置された、スクリーン８０の側に平面Ｓ３１を向けた平凹タイプの負の屈折力の第１の要素（第１の板、第１のレンズ、第１のパーツ）Ｌ１７と、ＤＭＤ６０の側に平面Ｓ３３を向けた平凸タイプの正の屈折力の第２の要素（第２の板、第２のレンズ、第２のパーツ）Ｌ１８とから構成されている。負レンズＬ１７のＤＭＤ６０の側を向いた凹面と、正レンズＬ１８のスクリーン８０の側を向いた凸面とは、曲率半径（曲率）の絶対値が等しく、互いの面同士が空気間隔を開けずに重なる（貼り合わせる）ことができる。したがって、曲面接合タイプの光学素子ＬＢＡは、両側の面Ｓ３１およびＳ３３が平面で、内部に曲面の接合面Ｓ３２が形成された光学素子である。
【００２６】
光学素子５０（ＬＢＡ）は、レンズシステム１０の最もＤＭＤ６０の側の正レンズＬ１６の外側（ＤＭＤ６０の側）に配置され、光学素子５０のＤＭＤ６０の側には、プリズムＰｒと、ＤＭＤ６０とが順番に配置されている。プリズムＰｒの例は、ＲＧＢ各色の画像光を合成するダイクロイックプリズム、ＴＩＲプリズムである。
【００２７】
図３に、光学系（光学システム）１を製造する方法（製造方法）をフローチャートにより示している。この製造方法では、ステップ１１１において、複数のレンズＬ１〜Ｌ１６を含むレンズシステム１０および光学素子５０により光学系１を組み立てる。最初に組み立てられる光学系１に用いられる光学素子５０は、以下の図４に示す平板状で曲面要素を含まないタイプの光学素子Ｐｌである。その後、ステップ１１２において、光学系１の光学性能試験を行い、色収差（倍率色収差）を含めた光学系１の諸性能を確認する。この光学性能試験は、事前試験（予備試験）であってもよく、出荷前試験であってもよい。また、光学性能試験は、一度に限らず、複数回繰り返して行ってもよい。
【００２８】
ステップ１１３において、性能試験により得られた光学系１の組み立て後の倍率色収差の実測値（実測上の収差、予備光学性能値）が設計値（設計上の収差、設計光学性能値）に対して予め設定された許容範囲内か否かを判断する。許容の範囲内か否かの判断の一例は、所定の色（たとえば青色）の倍率色収差（結像位置または結像倍率）の実測値と設計値との差が画素ピッチ（ドットピッチ）の何％以内であるか否かである。許容範囲を、広角端における青色の倍率色収差の実測値と設計値との差がドットピッチの±７５％と設定してもよく、±５０％に設定してもよい。
【００２９】
ステップ１１３において、試験により得られた倍率色収差の実測値と設計値との差が許容範囲内であれば、光学素子５０は交換しない。したがって、光学素子５０として、平板状で曲面要素を含まないタイプの光学素子Ｐｌが含まれた光学系１が製造される。すなわち、試験により得られた倍率色収差の実測値が許容範囲内の値（第２の値）であれば、光学素子５０として、平板状で曲面要素を含まないタイプの光学素子（第２の光学素子）Ｐｌが選択され、光学素子Ｐｌを含む光学系１が完成品として出荷される。平板状で曲面要素を含まない光学素子Ｐｌは光学距離が同じであれば、非接合タイプであっても接合タイプであってもよい。
【００３０】
ステップ１１３において、試験により得られた倍率色収差の実測値と設計値との差が許容範囲内でなければ、光学素子５０を、平板状で曲面要素を含まないタイプの光学素子Ｐｌと光学的距離が同一で倍率色収差が異なる曲面接合タイプの光学素子ＬＢＡに交換する。すなわち、試験により得られた倍率色収差の実測値が許容範囲外の値（第１の値）であれば、光学素子５０として、平板状で曲面要素を含むタイプの光学素子（第１の光学素子
）ＬＢＡが選択され、光学素子ＬＢＡを含む光学系１が完成品として出荷される。この際、先ず、ステップ１１４において、試験により得られた倍率色収差の実測値が設計値よりも外側（プラス側）へ移動しているか否かを確認する。倍率色収差の実測値が設計値よりも外側へ移動しているときは、ステップ１１５において、光学素子５０を、曲面接合タイプの光学素子ＬＢＡで、平凹タイプの第１の要素（レンズ）Ｌ１７のアッベ数ν１が平凸タイプの第２の要素（レンズ）Ｌ１８のアッベ数ν２より大きい光学素子ＬＢＡのタイプＡに交換する。
【００３１】
さらに、ステップ１１５においては、予め用意された複数種類の倍率色収差の異なる光学素子ＬＢＡ（タイプＡ）の中から、試験により得られた倍率色収差の実測値と設計値との差を補正するために適したものを選択して交換する。これにより再度、倍率色収差を測定し直す工数を省いて、所定の性能を備えた光学系１を製造し、供給できる。本例では、接合曲面の曲率半径が６００、４００および２００ｍｍの３種類の光学素子ＬＢＡ（タイプＡ）が用意されており、により、試験により得られた倍率色収差の実測値と設計値との差を補正するために適した曲率半径の光学素子ＬＢＡ（タイプＡ）が選択され、平板状の光学素子Ｐｌと交換される。
【００３２】
光学素子５０を平板状の光学素子Ｐｌから曲面を含む光学素子ＬＢＡに交換した後に倍率色収差等を再測定して光学性能を確認してもよい。
【００３３】
ステップ１１４において、試験により得られた倍率色収差の実測値が設計値よりも内側（マイナス側）へ移動している場合は、ステップ１１６において、光学素子５０を、曲面接合タイプの光学素子ＬＢＡで、平凹タイプの第１のレンズＬ１７のアッベ数ν１が平凸タイプの第２のレンズＬ１８のアッベ数ν２より小さい光学素子ＬＢＡ（タイプＢ）に交換する。
【００３４】
この製造方法においては、光学系１をいったん組み立てて光学性能を試験し、その結果、倍率色収差が許容範囲を超えていれば光学素子５０を入れ替えることにより倍率色収差を許容範囲に収めることができる。入れ替え対象の光学素子５０として、他の入れ替え対象としない光学素子（レンズ）とのインターフェイスとなる両面が平面の光学素子５０を予め挿入しておき、その光学素子５０を、光路長が同一で両面が平面であって曲面を内包した倍率色収差が異なるタイプの光学素子５０と入れ替えることにより、光学系１の倍率色収差を除いた基本的な光学性能を変えずに倍率色収差を補正できる。すなわち、光学系１の投影光の結像位置を変えることなく、光学系１の色収差を補正できる。このため、所望の高い性能を備えた光学系１を安定して製造でき、光学系を製造する際の歩留まりを向上できる。
【００３５】
近年、プロジェクタにおいても、ハイビジョンまたはスーパーハイビジョンと称される高精細な投影画像が要求されている。投影画像に要求される仕様が高精細化することに対応して、レンズシステムの設計性能の向上、レンズシステムを構成する各レンズ自体の加工精度（製作精度）の向上、各レンズを組み立てる際の工作精度（組立精度）の向上が図られている。しかしながら、現在市場に供給されている光学ガラスにおいてはアッベ数の公差が±０．５％程度である。設計性能、各レンズの加工精度、複数のレンズの組み立て精度などを向上して高性能のレンズシステムを製造しようとすると、アッベ数などの光学ガラスの特性の公差といったレンズシステムの製造側では制御が難しい要因が障害となり、所望の高い性能を備えた光学系を提供することが難しい状況となる。
【００３６】
光学ガラスの特性の変化などの製造側で制御が難しい要因による各レンズの公差が累積することにより、倍率色収差が設計値通りの光学系が製造できることもあれば、製品規格として要求される倍率色収差の許容値を上回る（逸脱する）おそれもある。光学系１の光学性能が許容範囲から外れると、投影画像の画質に影響を与える可能性がある。レンズシステム（光学系）を構成する複数のレンズの組み合わせを変えて、各レンズの公差の累積による光学性能が所定の許容範囲に入るようにすることも可能であるかもしれない。しかしながら、レンズシステムを構成する複数のレンズを入れ替えて、その都度、光学性能を確認する作業は工数がかかり、製造コストおよび製造期間に影響がある。さらに、レンズを入れ替えても所望の性能が得られるという保証はない。
【００３７】
この製造方法においては、倍率色収差以外の光学性能にほとんど影響を与えない平行平板状の光学素子５０を予め光学系１に組み込むことにより、複数のレンズを組み合わせて光学系１を基本的に製造した後に得られる倍率色収差に基づき、交換対象の光学素子５０を交換せずに平行平板状の光学素子Ｐｌとするか、倍率色収差を補正するために曲面接合タイプの光学素子ＬＢＡに交換するかを選択できる。したがって、レンズシステム１０を構成する各レンズＬ１〜Ｌ１６の性能の公差やレンズシステム１０を組み立てる際の組立公差などの累積により所定の光学性能が得られていれば、その状態で光学系１を出荷できる。
【００３８】
一方、複数のレンズの性能の公差の累積などにより倍率色収差の実測値が設計値に対して許容範囲を超えているときは、光学素子５０を交換することにより、容易に、低コストで、短時間に光学系１の倍率色収差の実測値を許容範囲に収め、所定の光学性能を備えた光学系１を出荷できる。したがって、この製造方法により製造された光学系１を採用することにより、高画質の投影画像をスクリーン８０に投射可能なプロジェクタ１００を安定して低コストで提供できる。
【００３９】
交換対象の光学素子５０は、レンズシステム１０を構成する複数のレンズＬ１〜Ｌ１６の間で、光学素子５０を挿入できる空気空間が確保できる間の何れか、最も拡大側８のレンズＬ１の外側、および最も縮小側９のレンズＬ１６の外側のいずれに挿入されていてもよい。交換対象の光学素子５０は１つに限らず、複数の光学素子を交換対象としてもよい。光学系１においては、交換対象の光学素子５０を、レンズシステム１０を構成する各レンズの間の空間ではなく、レンズシステム１０の縮小側９であるＤＭＤ６０の側の端（外側）の空間９９に組み込んでいる。レンズシステム１０の構成に変更を加えずに、例えば、レンズシステム１０のレンズホルダーに各レンズを再装着したりすることなく、光学素子５０を交換できる。このため、レンズシステム１０を組み立てた後の倍率色収差により光学素子５０の交換が必要なときに、容易に光学素子５０を交換でき、レンズシステム１０の側の性能は安定した状態に保たれるので、光学系１の光学性能を何回も測定し直すような手間を省くことも可能となる。
【００４０】
さらに、この光学系１においては、最も縮小側９の第６のグループＧ６はズーミングの際に動かず、ズーミングしても交換対象の光学素子５０との距離は変わらない。したがって、光学素子５０を交換しても、それによる倍率色収差の補正以外の光学性能への影響を最小限にとどめることができる。交換対象の光学素子５０をレンズシステム１０の内部に配置する場合も、ズーミングの際に距離が変わるレンズ間の空間ではなく、ズーミングの際に一体で移動するレンズグループ内に交換対象の光学素子５０を配置することが望ましい。
【００４１】
また、一般的には有効径の小さなレンズが配置されるレンズシステム１０の縮小側９に交換対象の光学素子５０を配置することにより、交換対象の光学素子５０の有効径を小さくできる。このため、倍率色収差を補正するための交換用の光学素子５０を低コストで準備することが可能となり、光学系１の製造コストを低減しやすい。交換対象の光学素子５０を最も拡大側８のレンズＬ１の外側（スクリーン８０の側）に配置してもよい。交換対象の光学素子５０は、さらに、プリズムＰｒとＤＭＤ６０との間に配置してもよい。
【００４２】
図４に、ステップ１１１において組み立てられた光学系１の概略構成を示す。図４（ａ）は広角端におけるレンズ配置を示し、図４（ｂ）は望遠端におけるレンズ配置を示す。図５に、光学系１の諸数値を示す。図５（ａ）はレンズシステム１０のレンズデータであり、図５（ｂ）はレンズシステム１０のズームデータである。図６に、光学系１の倍率色収差の設計値を示す。図６（ａ）は広角端における倍率色収差の設計値であり、図６（ｂ）は望遠端における倍率色収差の設計値である。
【００４３】
図５（ａ）において、Ｒｉはスクリーン８０の側から順に並んだ各レンズ（各レンズ面）の曲率半径（ｍｍ）、ｄｉはスクリーン８０の側から順に並んだ各レンズ面の間の距離（ｍｍ）、ｎｄはスクリーン８０の側から順に並んだ各レンズの屈折率（ｄ線）、νｄはスクリーン８０の側から順に並んだ各レンズのアッベ数（ｄ線）、Ｆｌａｔは平面を示している。図６（ａ）および（ｂ）の倍率色収差は、タンジェンシャル光線およびサジタル光線のそれぞれについて、青色光（波長４７０ｎｍ）（点線）と、緑色光（波長５５０ｎｍ）（破線）と、赤色光（波長６２０ｎｍ）（実線）とを示している。以降の収差図においても同様である。
【００４４】
最初に組み立てられる光学系１は、複数のレンズを含むレンズシステム１０と、ライトバルブ６０およびレンズシステム１０の間に組み込まれた光学素子５０とを含み、光学素子５０としては、非接合タイプで曲面要素を含まない光学素子（光学ユニット）Ｐｌが採用されている。レンズシステム１０の構成は、図２に示した光学系１と同一である。交換対象の光学素子Ｐｌは、接合タイプで曲面要素を含まないものであってもよく、２枚以上の平板が並列に配置されているものであってもよい。また、レンズシステム１０の特性から特定の方向に倍率色収差を補正することが事前に判明している場合は、曲面接合タイプで特定の倍率色収差を発生させる光学素子であってもよい。
【００４５】
図７に、ステップ１１２の性能試験において測定された、組み立てられた状態の光学系１の倍率色収差の実測値の一例を示している。図７（ａ）は広角端における倍率色収差の実測値であり、図７（ｂ）は望遠端における倍率色収差の実測値である。図７に示した実測値は、負レンズＬ１２のアッベ数（設計値２３．７８）が−０．５％ずれ、正レンズＬ１６のアッベ数（設計値２５．４６）が＋０．５％ずれた場合を仮定し、それらの特性を備えたレンズを含む光学系１の倍率色収差を、組み立てられた直後の実測値として示している。この程度のアッベ数の変動は、レンズガラスの特性値の公差範囲内であり、製造過程において普通に発生する可能性があるものである。
【００４６】
図７（ａ）および（ｂ）に示す青色光の倍率色収差は、図６（ａ）および（ｂ）に示す設計値に対し外側（プラス側）に移動している。ステップ１１３の判定では、青色光の倍率色収差の実測値が許容範囲を超え、青色光の結像位置がドットピッチの７５％以上ずれると判断されたものとする。ステップ１１３で青色光の倍率色収差の実測値が許容範囲内であると判定されれば、図４に示した平行平板の光学素子Ｐｌを含む光学系１が完成品として出荷される。
【００４７】
図７（ａ）および（ｂ）に示した例では、ステップ１１４において青色の倍率色収差が設計値に対して外側にシフトしていると判断される。したがって、ステップ１１５において、平凹の第１の要素Ｌ１７のアッベ数ν１が平凸の第２の要素Ｌ１８のアッベ数ν２より大きいタイプＡの曲面要素を含む光学素子ＬＢＡが選択され、光学系１の光学素子５０が交換される。
【００４８】
図８に、タイプＡの曲面接合型の光学素子ＬＢＡを示す。図８（ａ）は光学素子ＬＢＡ（タイプＡ）の概略構成を示す図であり、図８（ｂ）は、光学系１の光学素子５０を光学素子ＬＢＡ（タイプＡ）に交換したときの光学系１のレンズデータであり、光学素子５０の両側に位置する正レンズＬ１６およびプリズムＰｒのレンズデータと併せて示している。
【００４９】
光学素子ＬＢＡ（タイプＡ）は、高アッベ数の負レンズＬ１７と、低アッベ数の正レンズＬ１８とから構成されている。このため、平行平板の光学素子Ｐｌとは異なり、倍率色収差を発生し、青色光の結像位置を外側から内側に向けて移動させる。光学素子ＬＢＡ（タイプＡ）は、スクリーン８０の側の面Ｓ３１およびＤＭＤ６０の側の面Ｓ３３が平面であり、両面をパワーがゼロまたはゼロに極めて近い平面で構成することにより、倍率色収差以外の諸収差の発生を抑制している。
【００５０】
光学素子ＬＢＡ（タイプＡ）の両側の平面Ｓ３１およびＳ３３の間の距離（光学的距離、厚み）は８．５ｍｍであり、平行平板Ｐｌの両側の平面Ｓ３１およびＳ３２の間の距離（光学的距離、厚み）と等しい。また、光学素子ＬＢＡ（タイプＡ）のガラス板Ｌ１７の屈折率ｎ１およびガラス板Ｌ１８の屈折率ｎ２との差は小さく、両ガラス板の屈折率ｎ１およびｎ２と、平行平板の光学素子Ｐｌのガラス板の屈折率とはほぼ等しく、たとえば絶対値で差が０．０２以内になるように設計されている。
【００５１】
光学素子ＬＢＡ（タイプＡ）の平凹の第１の要素Ｌ１７の屈折率ｎ１と、平凸の第２の要素Ｌ１８の屈折率ｎ２と、第１の要素Ｌ１７のアッベ数ν１と、第２の要素Ｌ１８のアッベ数ν２とは以下の条件（１）および（２）を満たすように選択することが好ましい。
【００５２】
０≦｜ｎ１−ｎ２｜＜０．０２  ・・・（１）
２＜｜ν１−ν２｜＜３３      ・・・（２）
条件（１）を満たすことにより、屈折力の符号が逆向きで屈折率の差がほとんどない要素Ｌ１７およびＬ１８を組み合わせて色収差以外の収差に影響を与えない光学素子ＬＢＡを提供できる。さらに、条件（２）を満たすことにより、屈折力の符号が逆向きでアッベ数の差が大きい負のパワーの第１の要素Ｌ１７および正のパワーの第２の要素Ｌ１８を組み合わせて倍率色収差を含む色収差を良好に補正できる。条件（１）および（２）において、要素Ｌ１７およびＬ１８の屈折率の差はアッベ数の差に比べて小さいことが望ましい。また、倍率色収差の実測値と設計値との差分が大きくなる可能性があるケースでは、光学要素Ｌ１７およびＬ１８のアッベ数の差を条件（２）の範囲で大きくすることが望ましい。
【００５３】
条件（１）の上限は、０．０１であることが好ましく、０．００５であることがさらに好ましく、０．００１であることが望ましい。条件（２）の上限は、２５であることが好ましく、２０であることがさらに好ましく、１５であることが望ましい。条件（２）の下限は、５であることが好ましく、１０であることが望ましい。条件（１）の上限を超えると、要素Ｌ１７およびＬ１８の屈折率の差が大きくなり、色収差以外の収差変動が大きくなるため、光学素子５０の交換のみによる補正が難しくなる。条件（２）の上限を超えると、光学素子Ｌ１７およびＬ１８のアッベ数の差が大きくなり過ぎ、条件（２）の下限を超えると、アッベ数の差が小さくなり、いずれの場合も色収差の補正が困難となる。
【００５４】
この光学素子ＬＢＡ（タイプＡ）の条件（１）および（２）の値は以下の通りである。
【００５５】
｜ｎ１−ｎ２｜＝０．０００６２
｜ν１−ν２｜＝１２．０５
したがって、条件（１）および（２）を満たす。
【００５６】
図８（ａ）に示した光学素子ＬＢＡ（タイプＡ）は、内部に曲率半径Ｒ３２が４００ｍｍの曲面Ｓ３２を含む。ステップ１１５においては、曲率半径Ｒ３２が異なり、倍率色収差が異なる複数の光学素子ＬＢＡを予め用意し、実測により得られた倍率色収差を設計値に補正するために適した光学素子ＬＢＡに交換する。この例では、曲率半径Ｒ３２が４００ｍｍの曲面Ｓ３２を備えた光学素子ＬＢＡに加えて、曲率半径Ｒ３２が６００ｍｍの曲面Ｓ３２を備えた、補正能力が弱いタイプの光学素子ＬＢＡと、曲率半径Ｒ３２が２００ｍｍの曲面Ｓ３２を備えた、補正能力が強いタイプの光学素子ＬＢＡとを予め用意しておくことができる。
【００５７】
図９に、光学素子５０を、曲率半径Ｒ３２が４００ｍｍの曲面Ｓ３２を備えた光学素子ＬＢＡ（タイプＡ）に交換した光学系１の倍率色収差を、補正後の実測値として示している。図９（ａ）は広角端における倍率色収差の実測値を示し、図９（ｂ）は望遠端における倍率色収差の実測値を示す。これらの図からわかるように、光学系１の倍率色収差の実測値が、図６（ａ）および（ｂ）に示した設計値とほぼ同じ状態に補正されている。したがって、設計値と同じまたは近い状態に倍率色収差が良好に補正された光学系１を製造し、出荷できる。
【００５８】
図１０に、光学素子５０を、曲率半径Ｒ３２が６００ｍｍの曲面Ｓ３２を備えた光学素子ＬＢＡ（タイプＡ）に交換した光学系１の倍率色収差を、補正後の実測値として示している。図１０（ａ）は広角端における倍率色収差の実測値を示し、図１０（ｂ）は望遠端における倍率色収差の実測値を示す。これらの図からわかるように、光学系１の倍率色収差の実測値は、図６（ａ）および（ｂ）に示した設計値に近くなるように補正されている。しかしながら、図９（ａ）および（ｂ）に示した実測値に比較すると補正は十分ではない。
【００５９】
図１１に、光学素子５０を、曲率半径Ｒ３２が２００ｍｍの曲面Ｓ３２を備えた光学素子ＬＢＡ（タイプＡ）に交換した光学系１の倍率色収差を、補正後の実測値として示している。図１１（ａ）は広角端における倍率色収差の実測値を示し、図１１（ｂ）は望遠端における倍率色収差の実測値を示す。これらの図からわかるように、光学系１の倍率色収差の実測値は、図６（ａ）および（ｂ）に示した設計値を超えて、逆側（内側、マイナス側）に補正されており、補正が強すぎることがわかる。
【００６０】
曲率半径Ｒ３２の差による補正の量（きき量）は、事前に確認することが可能である。したがって、ステップ１１５においては、ステップ１１２で得られた倍率色収差の実測値により、用意された光学素子ＬＢＡの中から補正に最も適した曲率半径Ｒ３２を備えた光学素子ＬＢＡを選択し、光学素子５０を交換することができる。
【００６１】
図１２に、ステップ１１１において他のレンズを用いて光学系１を組み立て、ステップ１１２の性能試験で倍率色収差を測定した他の例を示している。図１２（ａ）は広角端における倍率色収差の実測値であり、図１２（ｂ）は望遠端における倍率色収差の実測値である。図１２に示した実測値は、負レンズＬ１２のアッベ数（設計値２３．７８）が＋０．５％ずれ、正レンズＬ１６のアッベ数（設計値２５．４６）が−０．５％ずれた場合を仮定し、それらの特性を備えたレンズを含む光学系１の倍率色収差を、組み立てられた直後の実測値として示している。この程度のアッベ数の変動は、レンズガラスの特性値の公差範囲内であり、製造過程において普通に発生する可能性があるものである。
【００６２】
図１２（ａ）および（ｂ）に示す青色光の倍率色収差は、図６（ａ）および（ｂ）に示す設計値に対し内側（マイナス側）に移動している。上記と同様に、ステップ１１３の判定では、青色光の倍率色収差の実測値が許容範囲を超え、青色光の結像位置がドットピッチの７５％以上ずれると判断されたものとする。
【００６３】
図１２（ａ）および（ｂ）に示した例では、ステップ１１４において青色の倍率色収差が設計値に対して内側にシフトしていると判断される。したがって、ステップ１１６において、平凹の第１の要素Ｌ１７のアッベ数ν１が平凸の第２の要素Ｌ１８のアッベ数ν２より小さいタイプＢの曲面要素を含む光学素子ＬＢＡが選択され、光学系１の光学素子５０が交換される。
【００６４】
図１３に、タイプＢの曲面接合型の光学素子ＬＢＡを示す。図１３（ａ）は光学素子ＬＢＡ（タイプＢ）の概略構成を示す図であり、図１３（ｂ）は、光学系１の光学素子５０を光学素子ＬＢＡ（タイプＢ）に交換したときの光学系１のレンズデータであり、光学素子５０の両側に位置する正レンズＬ１６およびプリズムＰｒのレンズデータと併せて示している。
【００６５】
光学素子ＬＢＡ（タイプＢ）は、低アッベ数の負レンズＬ１７と、高アッベ数の正レンズＬ１８とから構成されている。このため、平行平板の光学素子Ｐｌとは異なり、倍率色収差を発生する。光学素子ＬＢＡ（タイプＢ）は、光学素子ＬＢＡ（タイプＡ）と逆方向の倍率色収差を発生し、青色光の結像位置を内側から外側に向けて移動させる。光学素子ＬＢＡ（タイプＢ）も、スクリーン８０の側の面Ｓ３１およびＤＭＤ６０の側の面Ｓ３３が平面であり、両面のパワーがゼロまたはゼロに極めて近い。また、光学素子ＬＢＡ（タイプＢ）の両側の平面Ｓ３１およびＳ３３の間の距離（光学的距離、厚み）は８．５ｍｍであり、平行平板Ｐｌの両側の平面Ｓ３１およびＳ３２の間の距離（光学的距離、厚み）と等しい。光学素子ＬＢＡ（タイプＢ）のガラス板Ｌ１７の屈折率ｎ１およびガラス板Ｌ１８の屈折率ｎ２との差は小さく、両ガラス板の屈折率ｎ１およびｎ２と、平行平板の光学素子Ｐｌのガラス板の屈折率とはほぼ等しく、たとえば絶対値で差が０．０２以内になるように設計されている。
【００６６】
光学素子ＬＢＡ（タイプＢ）の平凹の第１の要素Ｌ１７の屈折率ｎ１、平凸の第２の要素Ｌ１８の屈折率ｎ２、第１の要素Ｌ１７のアッベ数ν１、第２の要素Ｌ１８のアッベ数ν２の条件（１）および（２）の値は以下通りである。
【００６７】
｜ｎ１−ｎ２｜＝０．０００６２
｜ν１−ν２｜＝１２．０５
したがって、条件（１）および（２）を満たす。
【００６８】
図１３（ａ）に示した光学素子ＬＢＡ（タイプＢ）は、内部に曲率半径Ｒ３２が４００ｍｍの曲面Ｓ３２を含む。ステップ１１６においては、曲率半径Ｒ３２が異なり、倍率色収差が異なる複数の光学素子ＬＢＡを予め用意し、実測により得られた倍率色収差を設計値に補正するために適した光学素子ＬＢＡに交換する。この例においては、曲率半径Ｒ３２が４００ｍｍの曲面Ｓ３２を備えた光学素子ＬＢＡに加えて、曲率半径Ｒ３２が６００ｍｍの曲面Ｓ３２を備えた、補正能力が弱いタイプの光学素子ＬＢＡと、曲率半径Ｒ３２が２００ｍｍの曲面Ｓ３２を備えた、補正能力が強いタイプの光学素子ＬＢＡとを予め用意している。
【００６９】
図１４に、光学素子５０を、曲率半径Ｒ３２が４００ｍｍの曲面Ｓ３２を備えた光学素子ＬＢＡ（タイプＢ）に交換した光学系１の倍率色収差を、補正後の実測値として示している。図１４（ａ）は広角端における倍率色収差の実測値を示し、図１４（ｂ）は望遠端における倍率色収差の実測値を示す。これらの図からわかるように、光学系１の倍率色収差の実測値が、図６（ａ）および（ｂ）に示した設計値とほぼ同じ状態に補正されている。したがって、設計値と同じまたは近い状態に倍率色収差が良好に補正された光学系１を製造し、出荷できる。
【００７０】
図１５に、光学素子５０を、曲率半径Ｒ３２が６００ｍｍの曲面Ｓ３２を備えた光学素子ＬＢＡ（タイプＢ）に交換した光学系１の倍率色収差を、補正後の実測値として示している。図１５（ａ）は広角端における倍率色収差の実測値を示し、図１５（ｂ）は望遠端における倍率色収差の実測値を示す。これらの図からわかるように、光学系１の倍率色収差の実測値は、図６（ａ）および（ｂ）に示した設計値に近くなるように補正されている。しかしながら、図１４（ａ）および（ｂ）に示した実測値に比較すると補正は十分ではない。
【００７１】
図１６に、光学素子５０を、曲率半径Ｒ３２が２００ｍｍの曲面Ｓ３２を備えた光学素子ＬＢＡ（タイプＢ）に交換した光学系１の倍率色収差を、補正後の実測値として示している。図１６（ａ）は広角端における倍率色収差の実測値を示し、図１６（ｂ）は望遠端における倍率色収差の実測値を示す。これらの図からわかるように、光学系１の倍率色収差の実測値は、図６（ａ）および（ｂ）に示した設計値を超えて、逆側（外側、プラス側）に補正されており、補正が強すぎることがわかる。
【００７２】
光学素子ＬＢＡ（タイプＢ）においても、曲率半径Ｒ３２の差による補正量は、事前に確認することが可能である。したがって、ステップ１１６においては、ステップ１１２で得られた倍率色収差の実測値により、用意された光学素子ＬＢＡの中から補正に最も適した曲率半径Ｒ３２を備えた光学素子ＬＢＡを選択し、光学素子５０を交換することができる。このため、組み立てられた状態では様々な要因による公差により倍率色収差が許容範囲に入らない光学系１であっても、予め挿入されている交換対象の光学素子５０を、倍率色収差の実測値を設計値に近い状態に補正するために適した光学素子５０に交換することにより倍率色収差が許容範囲に収まった光学系を製造でき、提供できる。
【００７３】
上記には、複数のレンズを含むレンズシステムを有する光学系を製造する方法であって、前記光学系の色収差を取得することと、前記光学系の色収差により、前記複数のレンズの間、前記複数のレンズの最も拡大側のレンズの外側、および前記複数のレンズの最も縮小側のレンズの外側のいずれかに挿入されている光学素子を、光学的距離が同一で倍率色収差が異なる他の光学素子に交換することとを有する方法が記載されている。前記交換することは、平板状で曲面要素を含まない光学素子を、平板状の曲面接合タイプの光学素子に交換することを含んでもよい。
【００７４】
前記曲面接合タイプの光学素子は、平凹タイプの第１の要素と、平凸タイプの第２の要素とを含み、前記第１の要素の屈折率ｎ１と、前記第２の要素の屈折率ｎ２と、前記第１の要素のアッベ数ν１と、前記第２の要素のアッベ数ν２とが以下の条件（１）および（２）を満たし、さらに、前記交換することは、前記色収差のうち、青色の倍率色収差が設計値よりも外側へ移動しているときは、前記アッベ数ν１が前記アッベ数ν２より大きい前記曲面接合タイプの光学素子に交換することと、青色の倍率色収差が設計値よりも内側へ移動しているときは、前記アッベ数ν１が前記アッベ数ν２より小さい前記曲面接合タイプの光学素子に交換することとを含んでもよい。
０≦｜ｎ１−ｎ２｜＜０．０２・・・（１）
２＜｜ν１−ν２｜＜３３・・・（２）
【００７５】
前記光学系は変倍光学系であり、前記交換することは、前記最も縮小側のレンズの外側に挿入されている光学素子を交換することを含んでもよい。前記光学系は縮小側に配置される光変調デバイスからの投影光を投射する光学系であり、前記交換することは、前記最も縮小側のレンズの外側で、前記光変調デバイスとの間に挿入されている光学素子を交換することを含んでもよい。また、上記に記載の方法により製造された光学系と、前記最も縮小側のレンズの外側に配置された光変調デバイスとを有するプロジェクタも含まれる。
【００７６】
上記には、複数のレンズを含むレンズシステムを有する光学系であって、前記複数のレンズの間、前記複数のレンズの最も拡大側のレンズの外側、および前記複数のレンズの最も縮小側のレンズの外側のいずれかに挿入されている光学素子が、製造時に取得された色収差により、光学的距離が同一で倍率色収差が異なる他の光学素子に交換されている光学系が開示されている。前記他の光学素子は、平板状の曲面接合タイプの光学素子であってもよい。前記曲面接合タイプの光学素子は、平凹タイプの第１の要素と、平凸タイプの第２の要素とを含み、前記第１の要素の屈折率ｎ１と、前記第２の要素の屈折率ｎ２と、前記第１の要素のアッベ数ν１と、前記第２の要素のアッベ数ν２とが上記の条件（１）および（２）を満たすものであってもよい。上記に記載の光学系と、前記最も縮小側のレンズの外側に配置された光変調デバイスとを有するプロジェクタも含まれる。
【００７７】
なお、本発明は上記の実施形態に限定されず、特許請求の範囲に規定されたものを含む。たとえば、上記においてはプロジェクタ用の光学系を例に本発明を説明しているが撮像用の光学系であってもよい。光学系に含まれるレンズシステムの構成も上記の６群構成に限らず、５群以下または７群以上の構成であってもよい。さらに、レンズシステムは、変倍を行わないタイプであってもよい。また、レンズシステムおよび光学素子を構成する各材質は、ガラス製であっても、樹脂製であってもよい。
【符号の説明】
【００７８】
１  光学系、  １０  レンズシステム
６０  ライトバルブ、  ８０  スクリーン、１００  プロジェクタ
【図１】
0006595573.tif 000002
【図２】
0006595573.tif 000003
【図３】
0006595573.tif 000004
【図４】
0006595573.tif 000005
【図５】
0006595573.tif 000006
【図６】
0006595573.tif 000007
【図７】
0006595573.tif 000008
【図８】
0006595573.tif 000009
【図９】
0006595573.tif 000010
【図１０】
0006595573.tif 000011
【図１１】
0006595573.tif 000012
【図１２】
0006595573.tif 000013
【図１３】
0006595573.tif 000014
【図１４】
0006595573.tif 000015
【図１５】
0006595573.tif 000016
【図１６】
0006595573.tif 000017